(57)【要約】      （修正有）【課題】マルチ誘導コイルのＲＦＩＤシステムを提供する。【解決手段】複数のＲＦ読み取りモジュール２０とメインコントローラ３０とを含む。複数のＲＦ読み取りモジュールは、送信共振モード及びアイドルモードにおいて操作することに適している。各ＲＦ読み取りモジュールは、送信共振モードにある時、検出信号を送信すると共に応答信号に基づいて共振信号を生成し、アイドルモードにある時、応答信号に基づいて誘導信号を生成する誘導コイルと、誘導コイルに電気的に接続され、誘導コイルに応答するための共振回路と、共振回路に接続され、導通の時、ＲＦ読み取りモジュールを送信共振モードに切り替えて制御し、遮断の時、ＲＦ読み取りモジュールをアイドルモードに切り替えて制御するスイッチング回路とを含む。メインコントローラは、誘導コイル及びスイッチング回路に電気的に接続され、スイッチング回路の導通又は遮断を制御し、また誘導コイルを制御して検出信号を送信させるために用いられる。【選択図】図１
0003221100.tif 000002
【実用新案登録請求の範囲】
【請求項１】
送信共振モード及びアイドルモードにおいて操作することに適した複数のＲＦ読み取りモジュールと、
誘導コイル及びスイッチング回路に電気的に接続され、スイッチング回路の導通又は遮断を制御し、また前記誘導コイルを制御して検出信号を送信させるためメインコントローラと、
を含むマルチ誘導コイルのＲＦＩＤシステムであって、
各前記ＲＦ読み取りモジュールは、
前記送信共振モードにある時、前記検出信号を送信すると共に応答信号に基づいて共振信号を生成し、前記アイドルモードにある時、前記応答信号に基づいて誘導信号を生成するための誘導コイルと、
前記誘導コイルに電気的に接続され、前記誘導コイルに応答するための共振回路と、
前記共振回路に電気的に接続され、導通の時、前記ＲＦ読み取りモジュールを前記送信共振モードに切り替えて制御し、遮断の時、前記ＲＦ読み取りモジュールを前記アイドルモードに切り替えて制御するスイッチング回路と、を含む、ことを特徴とする、
マルチ誘導コイルのＲＦＩＤシステム。
【請求項２】
各前記ＲＦ読み取りモジュールは、前記共振回路に電気的に接続される復調回路を更に含み、前記送信共振モードにある時、前記復調回路が前記共振信号を復調すると共に第１データ信号を出力し、前記アイドルモードにある時、前記復調回路が前記誘導信号を復調すると共に第２データ信号を出力することを特徴とする、請求項１に記載のマルチ誘導コイルのＲＦＩＤシステム。
【請求項３】
前記復調回路と前記メインコントローラとの間を電気的に接続し、前記復調回路の前記第１データ信号及び前記第２データ信号を演算・増幅して増幅信号を併せて出力するための増幅回路を更に含むことを特徴とする、請求項２に記載のマルチ誘導コイルのＲＦＩＤシステム。
【請求項４】
前記メインコントローラは、前記増幅回路に電気的に接続され、前記増幅回路の前記増幅信号に応答して演算信号を生成するための演算処理回路を含むことを特徴とする、請求項３に記載のマルチ誘導コイルのＲＦＩＤシステム。
【請求項５】
前記メインコントローラは、前記演算処理回路に電気的に接続され、前記演算処理回路の前記演算信号に基づいて複数の制御信号を選択的に出力することで、前記スイッチング回路を制御するための制御回路を更に含むことを特徴とする、請求項４に記載のマルチ誘導コイルのＲＦＩＤシステム。
【請求項６】
前記メインコントローラと前記誘導コイルとの間を電気的に接続する駆動回路を更に含み、前記送信共振モードにおいて、前記駆動回路は前記メインコントローラから出力されたＲＦ信号に基づいて前記誘導コイルを制御して前記検出信号を送信することを特徴とする、請求項５に記載のマルチ誘導コイルのＲＦＩＤシステム。
【請求項７】
各前記ＲＦ読み取りモジュールは、前記復調回路と前記増幅回路との間を電気的に接続し、前記復調回路と前記増幅回路との間のノイズを低減するための隔離回路を更に含むことを特徴とする、請求項６に記載のマルチ誘導コイルのＲＦＩＤシステム。
【請求項８】
前記制御回路に電気的に接続される少なくとも１つの音声信号再生回路を更に含み、前記制御回路は前記演算信号に応答して指示信号を出力し、前記少なくとも１つの音声信号再生回路が前記指示信号に応答して対応のオーディオを出力することを特徴とする、請求項７に記載のマルチ誘導コイルのＲＦＩＤシステム。
【請求項９】
前記ＲＦ読み取りモジュールは、アレイ方式で配列され、並びに隣り合う前記誘導コイルの磁極が逆相であることを特徴とする、請求項１〜８のいずれか一項に記載のマルチ誘導コイルのＲＦＩＤシステム。
【請求項１０】
前記検出信号を受信すると共に前記検出信号に基づいて前記応答信号を送信するための少なくとも１つのＲＦタグを更に含むことを特徴とする、請求項１〜８のいずれか一項に記載のマルチ誘導コイルのＲＦＩＤシステム。
【考案の詳細な説明】
【技術分野】
【０００１】
本考案は、マルチ誘導コイルのＲＦＩＤシステムに関する。
【背景技術】
【０００２】
無線認識（Ｒａｄｉｏ  Ｆｒｅｑｕｅｎｃｙ  Ｉｄｅｎｔｉｆｉｃａｔｉｏｎ、ＲＦＩＤ）システムは、無線通信データ伝送技術であり、無線信号を通じて特定目標を識別すると共に関連のデータを読み書きする。ＲＦＩＤシステムと特定目標の間には機械的又は光学的な接触を確立する必要はなく、そのシステムは主にタグ（Ｔａｇ）、リーダ（Ｒｅａｄｅｒ）及びプロセッサから成る。
タグは、集積回路とアンテナとを含み、各種識別情報を保存し、アンテナを通じて無線信号でデータをリーダに伝送する。タグ自体に電池の搭載があるかどうかによって受動型、半受動型及び能動型タグに分かれる。リーダは、送信機（Ｔｒａｎｓｍｉｔｔｅｒ）と受信機（Ｒｅｃｅｉｖｅｒ）とアンテナとを含み、送信機がアンテナを通じてプロセッサの信号を送信すると共に周辺のタグに交流電源を供給する。受信機はタグから伝送されてきた信号を受信すると共に信号をプロセッサに転送する。
【０００３】
日常生活において、ＲＦＩＤシステムは、追跡したい人、事、物（身分証明書、電子切符、物流管理、荷物分類、入退出管理システムを含む）に幅広く使用されている。しかしながら、現在単一ＲＦＩＤシステムが単一エリアにおいて、同時に異なるタグを認識できず、異なるエリアでも単一システムで完成することもできず、１つのエリアに一組のＲＦＩＤシステムを設けなければならない。すなわち、１台のリーダに１台のコントローラを搭載する必要があるため、コストの浪費や、実際の活用において制限があった。
【考案の概要】
【考案が解決しようとする課題】
【０００４】
上記課題を解決するために、鋭意研究を重ねた結果、以下の考案を完成するに至った。
【課題を解決するための手段】
【０００５】
本考案は、複数のＲＦ読み取りモジュールとメインコントローラとを含むマルチ誘導コイルのＲＦＩＤシステムを提供する。複数のＲＦ読み取りモジュールは、送信共振モード及びアイドルモードにおいて操作することに適している。各ＲＦ読み取りモジュールは、誘導コイルと共振回路とスイッチング回路とを含む。共振回路は、誘導コイルに電気的に接続され、スイッチング回路電が共振回路に接続され、メインコントローラが複数の誘導コイル及び複数のスイッチング回路に接続される。誘導コイルは、送信共振モードにある時、検出信号を送信すると共に応答信号に基づいて共振信号を生成する。アイドルモードにある時、誘導コイルは、前記応答信号に基づいて誘導信号を生成する。共振回路は、誘導コイルに応答するために用いられる。スイッチング回路が導通の時、ＲＦ読み取りモジュールを送信共振モードに切り替えて制御する。スイッチング回路が遮断の時、ＲＦ読み取りモジュールをアイドルモードに切り替えて制御する。メインコントローラは、複数のスイッチング回路の導通又は遮断を制御し、また複数の誘導コイルを制御して複数の検出信号を送信させるために用いられる。
【０００６】
一実施例において、各ＲＦ読み取りモジュールは、復調回路を更に含む。復調回路は、共振回路に電気的に接続される。送信共振モードの時、復調回路が共振信号を復調すると共に第１データ信号を出力する。アイドルモードの時、復調回路が誘導信号を復調すると共に第２データ信号を出力する。
【０００７】
一実施例において、マルチ誘導コイルのＲＦＩＤシステムは、増幅回路を更に含む。増幅回路は、それら復調回路とメインコントローラとの間を電気的に接続する。増幅回路は、それら復調回路のそれら第１データ信号及びそれら第２データ信号を演算・増幅して増幅信号を併せて出力するために用いられる。
【０００８】
一実施例において、メインコントローラは、演算処理回路を含む。メインコントローラは、増幅回路に電気的に接続され、増幅回路の増幅信号に応答することで演算信号を生成するために用いられる。
【０００９】
一実施例において、メインコントローラは、制御回路を更に含む。メインコントローラは、演算処理回路に電気的に接続される。メインコントローラは、演算処理回路の演算信号に基づいて複数の制御信号を出力することで、それらスイッチング回路を制御することもできる。
【００１０】
一実施例において、マルチ誘導コイルのＲＦＩＤシステムは、駆動回路を更に含む。駆動回路は、メインコントローラと複数の誘導コイルとの間を電気的に接続する。駆動回路は、メインコントローラから出力されたＲＦ信号に基づいて複数の誘導コイルから送信された複数の検出信号を制御する。
【００１１】
一実施例において、各前記ＲＦ読み取りモジュールは、隔離回路を更に含む。隔離回路は、復調回路と増幅回路との間を電気的に接続する。隔離回路は、復調回路と増幅回路との間のノイズを低減するために用いられる。
【００１２】
一実施例において、マルチ誘導コイルのＲＦＩＤシステムは、少なくとも１つの音声信号再生回路を更に含む。前記少なくとも１つの音声信号再生回路は、制御回路に電気的に接続される。制御回路は、演算信号に応答して指示信号を出力し、前記少なくとも１つの音声信号再生回路が指示信号に応答してオーディオを出力する。
【００１３】
一実施例において、誘導コイルのＲＦＩＤシステムは、入出力装置を更に含む。入出力装置は、制御回路に電気的に接続される。制御回路は、演算信号に応答して指示信号を出力し、入出力装置が指示信号に応答して入出力信号を出力する。
【００１４】
一実施例において、それらＲＦ読み取りモジュールは、アレイ方式で配列され、並びに隣り合うそれら誘導コイルの磁極が逆相である。
【００１５】
一実施例において、マルチ誘導コイルのＲＦＩＤシステムは、少なくとも１つのＲＦタグを更に含む。ＲＦタグは、検出信号を受信すると共に検出信号に基づいて応答信号を送信するために用いられる。
【図面の簡単な説明】
【００１６】
【図１】本考案のマルチ誘導コイルのＲＦＩＤシステムを示す模式図である。
【図２Ａ】本考案のＲＦ読み取りモジュールを示す模式図である。
【図２Ｂ】本考案の送信共振モードで操作した際のＲＦ読み取りモジュールの送信を示す模式図である。
【図２Ｃ】本考案の送信共振モードで操作した際のＲＦ読み取りモジュールの共振を示す模式図である。
【図２Ｄ】本考案のアイドルモードで操作した際のＲＦ読み取りモジュールを示す模式図である。
【図３】本考案の音声信号再生機能を持つマルチ誘導コイルのＲＦＩＤシステムを示す模式図である。
【図４】本考案のアレイ方式で配列されたＲＦ読み取りモジュールを示す模式図である。
【考案を実施するための形態】
【００１７】
図１はマルチ誘導コイルのＲＦＩＤシステム１０を示す模式図である。幾つかの実施例において、マルチ誘導コイルのＲＦＩＤシステム１０は、複数のＲＦ読み取りモジュール２０とメインコントローラ３０とを含み、かつ少なくとも１つのＲＦタグ６０を読み取ることができる。
メインコントローラ３０は、各ＲＦ読み取りモジュール２０に電気的に接続することによって各ＲＦ読み取りモジュール２０を同時に制御し、各ＲＦ読み取りモジュール２０とＲＦタグ６０との間が無線ＲＦ信号の送受信を通じてリンクする。各ＲＦ読み取りモジュール２０は、検出信号Ｓｏｕｔの送信及び応答信号Ｓｉｎの受信をすることができ、相対的にＲＦタグ６０がＲＦ読み取りモジュール２０の検出信号Ｓｏｕｔを受信すると共に検出信号Ｓｏｕｔに基づいて応答信号Ｓｉｎを送信するために用いられる。
【００１８】
図２ＡはＲＦ読み取りモジュール２０を示す模式図である。幾つかの実施例において、ＲＦ読み取りモジュール２０は、誘導コイル２０２と共振回路２０４とスイッチング回路２０６とを含む。
誘導コイル２０２は、入力側２０２Ａと出力側２０２Ｂとを備え、共振回路２０４が誘導側２０４Ａとスイッチング側２０４Ｂとを備え、スイッチング回路２０６が制御側２０６Ａを備える。誘導コイル２０２の入力側２０２Ａ及び出力側２０２Ｂは、いずれもメインコントローラ３０に電気的に接続され、共振回路２０４の誘導側２０４Ａが誘導コイル２０２の出力側２０２Ｂとメインコントローラ３０との間を電気的に接続する。スイッチング回路２０６は、共振回路２０４のスイッチング側２０４Ｂと基準電位側２０６Ｂとの間を電気的に接続し、かつスイッチング回路２０６の制御側２０６Ａがメインコントローラ３０に電気的に接続される。前記基準電位側２０６Ｂの電位は、共振回路２０４と誘導コイル２０２との間を十分に応答してループを形成させることを原則とし、例えば接地電位又は高電位である。
【００１９】
同時に図２Ｂ、図２Ｃ及び図２Ｄを参照する。図２Ｂは送信共振モードで操作した際のＲＦ読み取りモジュール２０の送信を示す模式図であり、図２Ｃが送信共振モードで操作した際のＲＦ読み取りモジュール２０の共振を示す模式意図であり、図２Ｄがアイドルモードで操作した際のＲＦ読み取りモジュール２０を示す模式図である。
各ＲＦ読み取りモジュール２０の実施形態は、殆ど同じであり、１個のＲＦ読み取りモジュール２０の作動状況は次の通りとする。ＲＦ読み取りモジュール２０は、送信共振モード及びアイドルモードで操作できる。送信共振モードにある時、誘導コイル２０２は、検出信号Ｓｏｕｔを送信するために用いられ、かつ誘導コイル２０２も応答信号Ｓｉｎに応答して共振信号Ｓ６を生成するために用いられる。誘導コイル２０２は、タイムシェアリング方式で検出信号Ｓｏｕｔの送信及び応答信号Ｓｉｎの応答の機能を実現する。アイドルモードにある時、誘導コイル２０２は、応答信号Ｓｉｎに応答して誘導信号Ｓ４を生成するために用いられる。
【００２０】
幾つかの実施例において、誘導コイル２０２は、誘導磁界（図示せず）を継続して構築することで、タイムシェアリングで検出信号Ｓｏｕｔ送信すると共に応答信号Ｓｉｎに応答する機能を実現する。
【００２１】
幾つかの実施例において、誘導コイル２０２は、検出信号Ｓｏｕｔを送信してから応答信号Ｓｉｎに応答する。
【００２２】
具体的に言えば、ＲＦ読み取りモジュール２０は、メインコントローラ３０の制御によって送信共振モード又はアイドルモードで操作する。誘導コイル２０２が検出信号Ｓｏｕｔを送信した場合、誘導範囲内の被検出物（例えばＲＦタグ６０）を検出するために用いられることができる。逆に、被検出物（例えばＲＦタグ６０）が応答信号Ｓｉｎを発した時、例えば送信共振モードにおいて、誘導コイル２０２は共振信号Ｓ６を生成し、アイドルモードにおいて誘導コイル２０２が誘導信号Ｓ４を生成する。
【００２３】
ここで、言及すべき点は、本実施例の共振回路２０４が誘導コイル２０２に応答して共振回路２０４と誘導コイル２０２との間に共振ループを形成させるために用いられる点である。ＲＦ読み取りモジュール２０を送信共振モードで操作する時、共振回路２０４は誘導コイル２０２に応答して検出信号Ｓｏｕｔを送信し、かつ共振回路２０４も誘導コイル２０２に応答することで、応答信号Ｓｉｎに基づいて共振信号Ｓ６を生成できる。ＲＦ読み取りモジュール２０をアイドルモードで操作する時、共振回路２０４と誘導コイル２０２との間に共振ループを形成できないため、誘導コイル２０２は、応答信号Ｓｉｎに基づいて誘導信号Ｓ４を生成することしかできない。
【００２４】
ＲＦ読み取りモジュール２０の操作モードは、スイッチング回路２０６によって決定され、或いはより具体的に言えば、共振回路２０４が誘導コイル２０２に応答するかどうかはスイッチング回路２０６によって制御される。メインコントローラ３０がスイッチング回路２０６を導通に制御した時、ＲＦ読み取りモジュール２０を共振モードで操作し、共振回路２０４は誘導コイル２０２に応答できる。
メインコントローラ３０がスイッチング回路２０６を遮断に制御した時、ＲＦ読み取りモジュール２０をアイドルモードで操作し、共振回路２０４は誘導コイル２０２に応答できない。具体的に言えば、スイッチング回路２０６が導通された時、共振回路２０４と基準電位側２０６Ｂが導通するため、共振回路２０４と誘導コイル２０２との間に共振ループを形成できる。共振回路２０４と誘導コイル２０２が応答して生成した検出信号Ｓｏｕｔは、誘導コイル２０２から送信される。共振回路２０４と誘導コイル２０２が応答信号Ｓｉｎに基づいて応答して生成した共振信号Ｓ６は、メインコントローラ３０に伝送する。スイッチング回路２０６が遮断された時、共振回路２０４の誘導側２０４Ａのみが誘導コイル２０２の出力側２０２Ｂに電気的に接続される。すなわち、共振回路２０４は、一端のみが誘導コイル２０２の出力側２０２Ｂとメインコントローラ３０との間に接続される。よって、共振回路２０４は、この時誘導コイル２０２に応答できず、誘導コイル２０２の出力側２０２Ｂから出力された誘導信号Ｓ４は直接メインコントローラ３０に伝送される。
【００２５】
幾つかの実施例において、本考案で言及したスイッチング回路２０６を遮断させる実施形態は、共振回路２０４と基準電位側２０６Ｂとの間に電流が流れていない状況のみに限定されず、更に共振回路２０４を誘導コイル２０２に応答させない他の状況を含む。例えば、共振回路２０４と基準電位側２０６Ｂとの間に抵抗値を有する少なくとも１つの被動素子（被動素子は、抵抗器、コンデンサ又はＲＣ電路とすることができる）にカップリングすることで、共振回路２０４と誘導コイル２０２との間の共振ループを破損する。
【００２６】
同時に図２Ｃ及び図２Ｄを参照する。幾つかの実施例において、各ＲＦ読み取りモジュール２０は、復調回路２０８を更に含む。復調回路２０８は、誘導コイル２０２の出力側２０２Ｂとメインコントローラ３０との間を電気的に接続し、すなわち、復調回路２０８の一端が共振回路２０４の誘導側２０４Ａに電気的に接続され、復調回路２０８の他端がメインコントローラ３０に電気的に接続される。
送信共振モードにある時、復調回路２０８は共振信号Ｓ６を復調すると共に第１データ信号Ｓ８を出力する。アイドルモードにある時、復調回路２０８は、誘導信号Ｓ４を復調すると共に第２データ信号Ｓ１０を出力する。具体的に言えば、メインコントローラ３０が分析処理するため、復調回路２０８は、キャリア波と合成した本来の信号をオリジナル信号に復調する。よって、復調回路２０８は受信した信号に基づいて復調処理すると共に復調した後の信号をメインコントローラ３０に出力する。幾つかの実施例において、誘導信号Ｓ４が共振回路２０４を通じて共振応答することなく、誘導信号Ｓ４の信号量級は共振信号Ｓ６の信号量級より小さいため、前記誘導信号Ｓ４に対応する第２データ信号Ｓ１０の信号量級も前記共振信号Ｓ６に対応する第１データ信号Ｓ８より小さい。
【００２７】
図１、図２Ｃ及び図２Ｄを参照する。幾つかの実施例において、マルチ誘導コイルのＲＦＩＤシステム１０は、増幅回路４０と駆動回路５０とを更に含む。増幅回路４０は、各復調回路２０８とメインコントローラ３０との間を電気的に接続し、各復調回路２０８の各第１データ信号Ｓ８及び各第２データ信号Ｓ１０を演算・増幅して増幅信号Ｓ１２を併せて出力する。言い換えると、各復調回路２０８が出力する信号は、第１データ信号Ｓ８或いは第２データ信号Ｓ１０とする可能性があり、増幅回路４０が各復調回路２０８から出力された信号に対し増幅処理を施す。増幅回路４０を通じて前記復調処理後の各信号を収集して増幅信号Ｓ１２となり、増幅回路４０が前記増幅信号Ｓ１２を出力する。
【００２８】
駆動回路５０は、メインコントローラ３０と各誘導コイル２０２との間を電気的に接続し、メインコントローラ３０から出力されたＲＦ信号Ｓ０に基づいて各誘導コイル２０２を制御して各自検出信号Ｓｏｕｔを送信する。具体的に言えば、駆動回路５０は、メインコントローラ３０と各誘導コイル２０２の入力側２０２Ａとの間を電気的に接続する。
駆動回路５０は、受信したメインコントローラ３０から出されたＲＦ信号Ｓ０に基づいて、各誘導コイル２０２が駆動信号Ｓ２を各々出力し、各誘導コイル２０２が駆動信号Ｓ２に基づいて検出信号Ｓｏｕｔを送信する。ここで、言及すべき点は、誘導コイル２０２が位置するＲＦ読み取りモジュール２０を送信共振モードで操作した時、駆動回路５０は誘導コイル２０２を制御して検出信号Ｓｏｕｔを送信でき、逆に、誘導コイル２０２が位置するＲＦ読み取りモジュール２０をアイドルモードで操作した時、誘導コイル２０２は検出信号Ｓｏｕｔを送信できない点である。
【００２９】
図１、図２Ｃ及び図２Ｄを参照する。幾つかの実施例において、メインコントローラ３０は、演算処理回路３０２と、制御回路３０４とを含む。演算処理回路３０２は、増幅回路４０に電気的に接続され、増幅回路４０の増幅信号Ｓ１２に応答して演算信号Ｓ１４を生成するために用いられる。具体的に言えば、演算処理回路３０２は、増幅信号Ｓ１２を受信すると共に演算処理するために用いられ、増幅信号Ｓ１２内に何個の第１データ信号Ｓ８があるかを識別することによって、演算処理回路３０２が演算信号Ｓ１４を生成する。よって、メインコントローラ３０は、前記演算信号Ｓ１４を経由して複数のＲＦ読み取りモジュール２０が同時に何個の応答信号Ｓｉｎを受信するかを識別する。
【００３０】
制御回路３０４は、前記演算処理回路３０２に電気的に接続され、演算処理回路３０２の演算信号Ｓ１４に基づいて複数の制御信号を出力することで、各スイッチング回路２０６を制御することもできる。言い換えると、メインコントローラ３０は、複数のＲＦ読み取りモジュール２０の受信状況によって各スイッチング回路２０６を動的に制御できる。
メインコントローラ３０は複数のＲＦ読み取りモジュール２０の受信状況によらずに、各スイッチング回路２０６を自動的に制御もできる。幾つかの実施例において、メインコントローラ３０は、各スイッチング回路２０６を動的に制御することにより、更に応答信号Ｓｉｎが位置する各ＲＦ読み取りモジュール２０を順次確認できるため、知応答信号Ｓｉｎの位置を知ることができる。
【００３１】
幾つかの実施例において、メインコントローラ３０は、自動的に各ＲＦ読み取りモジュール２０の操作状況を順次制御することで、タイムシェアリングにより各ＲＦ読み取りモジュール２０を制御する機能を実現できる。例えば、メインコントローラ３０は、各ＲＦ読み取りモジュール２０を送信共振モードに切り替えて順次制御し、かつＲＦ読み取りモジュール２０が先に検出信号Ｓｏｕｔを送信してからＲＦ読み取りモジュール２０が応答信号Ｓｉｎに応答させるよう制御する。
【００３２】
引き続き図２Ａを参照する。幾つかの実施例において、各ＲＦ読み取りモジュール２０は、隔離回路２１０を含む。隔離回路２１０は、復調回路２０８と増幅回路４０との間を電気的に接続し、復調回路２０８と増幅回路４０との間のノイズを低減するために用いられる。具体的に言えば、増幅回路４０が各復調回路２０８に電気的に接続する必要があるため、隔離回路２１０は、各復調回路２０８がその他の復調回路２０８の信号相互干渉及び増幅回路４０のノイズ干渉を防止する。逆に、隔離回路２１０も単一復調回路２０８内のノイズが増幅回路４０及びその他の復調回路２０８に影響することを防止できる。
【００３３】
図３は音声信号再生機能を持つマルチ誘導コイルのＲＦＩＤシステム１０を示す模式図である。幾つかの実施例において、マルチ誘導コイルのＲＦＩＤシステム１０は、少なくとも１つの音声信号再生回路７０を更に含み、音声信号再生回路７０がメインコントローラ３０に電気的に接続される。
制御回路３０４は、演算信号Ｓ１４に応答して指示信号Ｓ１６を出力し、音声信号再生回路７０が指示信号Ｓ１６に応答してオーディオを出力し、例を挙げて説明すると、オーディオは効果音、音楽、ナレーション等の音声が挙げられる。具体的に言えば、メインコントローラ３０内の制御回路３０４は、どのＲＦ読み取りモジュール２０が受信した応答信号Ｓｉｎを識別して指示信号Ｓ１６を音声信号再生回路７０に出力し、音声信号再生回路７０が指示信号Ｓ１６に基づいてオーディオを出力するため、マルチ誘導コイルのＲＦＩＤシステム１０が位置の異なる応答信号Ｓｉｎに基づいてインタラクションを発生できる。
【００３４】
幾つかの実施例によると、誘導コイルのＲＦＩＤシステム１０は、入出力装置（図示せず）を更に含む。入出力装置は、制御回路３０４に電気的に接続される。制御回路３０４は、演算信号Ｓ１４に応答して指示信号Ｓ１６を出力し、入出力装置が指示信号Ｓ１６に応答して対応の入出力信号（Ｉｎｐｕｔ／Ｏｕｔｐｕｔ  ｓｉｇｎａｌ、Ｉ／Ｏ  ｓｉｇｎａｌ）を出力する。入出力装置は、動作装置、表示装置又はマルチメディア装置が挙げられるがこれに限定されない。
【００３５】
図４はアレイ方式で配列されたＲＦ読み取りモジュール２０を示す模式図である。幾つかの実施例において、ＲＦ読み取りモジュール２０は、アレイ方式で配列され、並びに隣り合うそれら誘導コイル２０２の磁極が逆相である。具体的に言えば、各誘導コイル２０２が送信した検出信号Ｓｏｕｔは、空間中で閉じた磁力線ループを形成すると見なし、磁力線がその隣接する誘導コイル２０２を通過する。よって、隣り合う誘導コイル２０２の磁極が逆相であることを通じて、誘導コイル２０２が送信した検出信号Ｓｏｕｔは相互干渉を相殺しない効果を奏する。
誘導コイル２０２の寸法において、小面積の誘導コイル２０２は、容易に調整する動作パラメータを有し、また誘導コイル２０２の各自検出エリアにおいて好ましい電磁波エネルギー分布を有する。同時にアレイ中の均一に配列された小面積の誘導コイル２０２を起動してアレイに均一な電磁波エネルギー分布を持たせることで、大面積誘導の利点を実現する。ＲＦタグ６０をアレイ中の任意位置に置いた時、ＲＦタグ６０は、エネルギーが似た誘導信号Ｓ４を得ることができ、誘導信号Ｓ４が小さすぎてＲＦタグ６０が応答信号Ｓｉｎを駆動・応答させることができなくなることを防止する。
【００３６】
引き続き図２Ａを参照する。幾つかの実施例において、各ＲＦ読み取りモジュール２０は、ダイオードＤ１を含み、ダイオードＤ１が共振回路２０４と復調回路２０８との間を電気的に接続することで、共振回路２０４と復調回路２０８との間の信号の電流方向を制限し、よって信号の電流方向は共振回路２０４から復調回路２０８に流れることしかできない。
【００３７】
図２Ａを参照する。幾つかの実施例において、各復調回路２０８は抵抗器Ｒ１とコンデンサＣ１とを含み、抵抗器Ｒ１の一端及びコンデンサＣ１の一端がいずれも接地側ＧＮＤに接続されるため、復調回路２０８がループを形成して復調機能を働かせることができる。
【００３８】
図２Ａを参照する。一実施例において、各共振回路２０４は、コンデンサＣ２を含むことができ、各隔離回路２１０がコンデンサＣ３を含むことができる。
【００３９】
図２Ａを参照する。一実施例において、各誘導コイル２０２はインダクタとし、別の実施例において各誘導コイル２０２をアンテナとする。
【００４０】
上記をまとめると、本考案に係るマルチ誘導コイルのＲＦＩＤシステム１０は、メインコントローラ３０を通じて各スイッチング回路２０６を制御し、各ＲＦ読み取りモジュール２０をスイッチングする機能を実現し、かつ各ＲＦ読み取りモジュール２０を送信共振モード及びアイドルモードで各自操作させる。幾つかの実施例において、マルチ誘導コイルのＲＦＩＤシステム１０は、位置の異なる応答信号Ｓｉｎに基づいてインタラクションを発生できる。別の幾つか実施例において、マルチ誘導コイルのＲＦＩＤシステム１０は、アレイ方式配列を通じて大面積誘導の利点を実現する。
【符号の説明】
【００４１】
１０  マルチ誘導コイルのＲＦＩＤシステム
２０  ＲＦ読み取りモジュール  
３０  メインコントローラ
４０  増幅回路
５０  駆動回路
６０  ＲＦタグ
７０  音声信号再生回路
２０２  誘導コイル
２０２Ａ  入力側
２０２Ｂ  出力側
２０４  共振回路
２０４Ａ  誘導側
２０４Ｂ  スイッチング側
２０６  スイッチング回路
２０６Ａ  制御側
２０６Ｂ  基準電位側
２０８  復調回路
２１０  隔離回路
３０２  演算処理回路
３０４  制御回路
Ｃ１−Ｃ３  コンデンサ
Ｒ１  抵抗器
Ｄ１  ダイオード
ＧＮＤ  接地側
Ｓｏｕｔ  検出信号
Ｓｉｎ  応答信号
Ｓ０  ＲＦ信号
Ｓ２  駆動信号
Ｓ４  誘導信号
Ｓ６  共振信号
Ｓ８  第１データ信号
Ｓ１０  第２データ信号
Ｓ１２  増幅信号
Ｓ１４  演算信号
Ｓ１６  指示信号
【図１】
0003221100.tif 000003
【図２Ａ】
0003221100.tif 000004
【図２Ｂ】
0003221100.tif 000005
【図２Ｃ】
0003221100.tif 000006
【図２Ｄ】
0003221100.tif 000007
【図３】
0003221100.tif 000008
【図４】
0003221100.tif 000009